(57)【要約】【課題】床面からの突出量を小さくした床配線装置用のプレート部材及びそれを用いた床配線装置を提供する。【解決手段】プレート枠７０は、厚み方向に貫通する開口部７０１を有し、床に設けられた開口部と開口部７０１とがつながり、且つ上記開口部の端縁部分に下面が接触した状態で、床に埋め込まれたボックスに固定される。扉７１は、プレート枠７０に取り付けられ、且つ開口部７０１を閉塞する位置と開口部７０１を開放する位置との間で開閉される。調整板６は、ボックスに対するプレート枠７０の高さ位置を調整する。プレート枠７０の下面側で且つ上記開口部に収まる位置には、扉７１を回転可能に支持する軸部１０，１０が設けられている。調整板６は、設置状態において上面がプレート枠７０の下面に接触しており、軸部１０，１０と対向する位置に軸部１０が入る凹部６０４，６０５が設けられている。【選択図】図１
2015154547.tif 000002
【特許請求の範囲】
【請求項１】
厚み方向に貫通する貫通孔を有し、床に設けられた開口部と前記貫通孔とがつながり、且つ前記開口部の端縁部分に下面が接触した状態で、前記床に埋め込まれたボックスに固定されるプレート枠と、
前記プレート枠に取り付けられ、且つ前記貫通孔を閉塞する位置と前記貫通孔を開放する位置との間で開閉される扉と、
前記ボックスに対する前記プレート枠の高さ位置を調整する調整板とを備え、
前記扉を回転可能に支持する軸部が前記プレート枠の下面側で且つ前記開口部に収まる位置に設けられており、
前記調整板は、設置状態において上面が前記プレート枠の下面に接触しており、前記軸部と対向する位置に前記軸部が入る逃がし部が設けられていることを特徴とする床配線装置用のプレート部材。
【請求項２】
請求項１記載の床配線装置用のプレート部材と、
前記ボックスと、
プラグが着脱自在に差し込まれるコンセントを有し、前記ボックス内に収納され且つ前記ボックスに固定されるコンセントブロックとを備えていることを特徴とする床配線装置。
【発明の詳細な説明】
【技術分野】
【０００１】
本発明は、床配線装置用のプレート部材及びそれを用いた床配線装置に関するものである。
【背景技術】
【０００２】
従来、床に埋込配設される床配線装置が提供されている（例えば特許文献１参照）。特許文献１に記載された床配線装置は、床に埋め込まれるボックスと、ボックスに取り付けられるカバーと、ボックスに収容されるコンセントと、床に敷設されるプレート部材とを備える。
【０００３】
プレート部材は、中央に開口部を有する円板状に形成されており、開口部を閉塞する位置と開口部を開放する位置との間で開閉する蓋部を有している。この蓋部は、プレート部材の上面側に設けられた係合孔に係合片を係合させることで、プレート部材により回転可能に支持される。
【先行技術文献】
【特許文献】
【０００４】
【特許文献１】特開平６−２０５５２６号公報
【発明の概要】
【発明が解決しようとする課題】
【０００５】
上述の特許文献１に示した床配線装置では、係合片が係合する係合孔がプレート部材の上面側に設けられているため、プレート部材自体の厚みが厚くなってしまい、その結果、床面からの突出量が大きくなっていた。
【０００６】
本発明は上記問題点に鑑みて為されたものであり、床面からの突出量を小さくした床配線装置用のプレート部材及びそれを用いた床配線装置を提供することを目的とする。
【課題を解決するための手段】
【０００７】
本発明の床配線装置用のプレート部材は、厚み方向に貫通する貫通孔を有し、床に設けられた開口部と前記貫通孔とがつながり、且つ前記開口部の端縁部分に下面が接触した状態で、前記床に埋め込まれたボックスに固定されるプレート枠と、前記プレート枠に取り付けられ、且つ前記貫通孔を閉塞する位置と前記貫通孔を開放する位置との間で開閉される扉と、前記ボックスに対する前記プレート枠の高さ位置を調整する調整板とを備え、前記扉を回転可能に支持する軸部が前記プレート枠の下面側で且つ前記開口部に収まる位置に設けられており、前記調整板は、設置状態において上面が前記プレート枠の下面に接触しており、前記軸部と対向する位置に前記軸部が入る逃がし部が設けられていることを特徴とする。
【０００８】
本発明の床配線装置は、請求項１記載の床配線装置用のプレート部材と、前記ボックスと、プラグが着脱自在に差し込まれるコンセントを有し、前記ボックス内に収納され且つ前記ボックスに固定されるコンセントブロックとを備えていることを特徴とする。
【発明の効果】
【０００９】
本発明の構成によれば、プレート枠の下面側で且つ床に設けられた開口部に収まる位置に扉を回転可能に支持する軸部を設け、さらに調整板における軸部と対向する位置に軸部が入る逃がし部を設けている。これにより、設置状態における床面からの突出量を小さくした床配線装置用のプレート部材及びそれを用いた床配線装置を提供することができるという効果がある。
【図面の簡単な説明】
【００１０】
【図１】（ａ）、（ｂ）は本実施形態の床配線装置の要部を示す断面図である。
【図２】同上の分解斜視図である。
【図３】同上を示し、（ａ）は上面図、（ｂ）は側面図である。
【図４】同上の設置状態を示す断面図である。
【図５】（ａ）〜（ｃ）は同上の動作を説明する説明図である。
【発明を実施するための形態】
【００１１】
以下に、床配線装置の実施形態について図１〜図５を参照しながら説明する。
【００１２】
本実施形態の床配線装置１は、図４に示すようにコンクリート製の床１００に埋込配設され、ボックス２内に収納された電源コンセント４０にプラグ９０（図５（ａ）参照）を差し込むことで、プラグ９０が接続された電気機器（図示せず）に対して給電する。なお、以下の説明では特に断りが無い限り、図２において上下、前後、左右の各方向を規定する。つまり、扉７１を回転可能に支持する軸部１０の軸方向が前後方向となる。
【００１３】
図２は本実施形態の床配線装置１の分解斜視図である。この床配線装置１は、ボックス２と、埋込カバー３と、コンセントブロック４と、調整板５，６と、フロアプレート７とを備える。
【００１４】
ボックス２は、金属材料により上面が開口する矩形箱状に形成されており、前後方向における２つの側面には、埋込カバー３を取り付けるための取付片２０２，２０２がそれぞれ設けられている。また、各取付片２０２には、埋込カバー３をボックス２に取り付けるための取付ねじ１１がねじ込まれるねじ孔２０２ａが設けられている。
【００１５】
ボックス２の底面には、接地線１８をボックス２に取り付けるための取付ねじ１２がねじ込まれるねじ孔２０３が設けられている。また、ボックス２の前側の側面には電線管１１０が取り付けられている。
【００１６】
埋込カバー３は、金属材料により矩形枠状に形成された本体部３０を有し、本体部３０の中央には左右方向に長い矩形の開口部３０１が設けられている。また、本体部３０の四隅には、調整板６の高さ位置を調整するための調整ねじ１４がねじ込まれるねじ孔３０５がそれぞれ設けられている。さらに、本体部３０においてボックス２の各ねじ孔２０２ａに対応する位置には、取付ねじ１１が挿通される挿通孔３０４がそれぞれ設けられている。
【００１７】
また、開口部３０１の前後方向における開口端縁には、上向きに突出し且つ先端側が外向き（開口部３０１と反対側の向き）に折り曲げられた取付片３０２，３０３がそれぞれ設けられている。取付片３０２には、コンセントブロック４を埋込カバー３に取り付けるための取付ねじ１３がねじ込まれるねじ孔３０２ａが設けられ、さらに取付片３０３には、同様に、取付ねじ１３がねじ込まれるねじ孔３０３ａが設けられている。
【００１８】
コンセントブロック４は、プラグ９０を差し込むための差込口が横並びに２個設けられた電源コンセント４０（コンセント）と、電源コンセント４０を取り付けるための取付金具４１とで構成される。取付金具４１は、左右方向に長い矩形板状に形成され、前後方向において後端が上側、前端が下側となるように斜めに配置される本体部４１１を有している。本体部４１１の中央には、電源コンセント４０の機能面を露出させるための矩形の開口部４１１ａが設けられている。
【００１９】
また、本体部４１１の後端には、後方に向けて水平に延出する延出部４１２が一体に形成されており、延出部４１２の先端には、取付ねじ１３が挿通される溝４１４ａを有する取付片４１４が設けられている。また、本体部４１１の前端には、斜め上方に延出する延出部４１３が一体に形成されており、延出部４１３の先端には、取付ねじ１３が挿通される溝４１５ａを有する取付片４１５が設けられている。
【００２０】
なお、電源コンセント４０を取付金具４１に取り付けた状態では、図２に示すように、電源コンセント４０の機能面が開口部４１１ａを通して本体部４１１の前面側に露出している。そして、床配線装置１を設置した状態では、図４に示すように、上記機能面が斜め上方を向くようにしてコンセントブロック４がボックス２内に配置される。
【００２１】
フロアプレート７は、例えばアルミダイキャスト製品であって、プレート枠７０と、扉７１と、通線チップ７２とで構成される。プレート枠７０は、図２及び図３に示すように矩形枠状に形成され、プレート枠７０の中央には矩形の開口部７０１（貫通孔）が設けられている。また、プレート枠７０において開口部７０１の四隅には、取付ねじ１６が挿通される挿通孔７０２がそれぞれ設けられている。
【００２２】
扉７１は、図２及び図３に示すように矩形板状に形成され、扉７１の１辺（図３（ａ）中の上側の１辺）には、左右方向に長い矩形の凹部７１１が設けられている。また、扉７１において凹部７１１の近傍には、扉７１を開閉する際に操作される開閉ボタン７３を露出させるための矩形の開口部７１２が設けられている。ここに、扉７１の外形寸法（図３（ａ）中の上下寸法及び左右寸法）は、プレート枠７０の開口部７０１の開口寸法よりもわずかに小さく設定されている。
【００２３】
また、扉７１の下面（裏面）における左端には、軸８が挿通される軸孔７１３０を有し、軸８とともに扉７１を回転可能に支持する円筒状の軸受け７１３，７１３が、前後方向における両端にそれぞれ設けられている。各軸受け７１３の軸孔７１３０は、図３（ｂ）に示すように左右方向に長く、扉７１を開閉させる際に軸８が軸孔７１３０内を移動できるようになっている。これにより、扉７１を開く際に扉７１の左端がプレート枠７０の開口端縁に干渉することなく、図２に示すように扉７１を大きく開くことができる。
【００２４】
そして、この扉７１は、プレート枠７０の開口部７０１を閉塞する位置（図３（ａ）に示す位置）と、開口部７０１を開放する位置（図２に示す位置）との間で開閉される。なお、軸８及び軸受け７１３は、設置状態（図４に示す状態）においてプレート枠７０の下面側で、且つ床１００の開口部１００ａに収まる位置に配置される。ここに、本実施形態では、軸８と軸受け７１３とで軸部１０が構成されている。
【００２５】
通線チップ７２は、図２〜図４に示すように、左右方向に長い矩形板状に形成された本体部７２１を有し、本体部７２１の下面には、下向きに延出する複数（本実施形態では３個）の脚部７２２が等間隔且つ横並びに設けられている。また、隣接する脚部７２２間には、コード９を保護するためのブッシュ７４が設けられている。なお、通線チップ７２の本体部７２１の外形寸法（図３（ａ）中の上下寸法及び左右寸法）は、扉７１の凹部７１１の開口寸法よりもわずかに小さく設定されている。
【００２６】
この通線チップ７２は、後側の１辺（図３（ａ）中の下側の１辺）において扉７１に回転可能に支持されており、扉７１の凹部７１１を閉塞する位置（図３（ａ）に示す位置）と、凹部７１１を開放する位置（図４に示す位置）との間で開閉される。
【００２７】
調整板６は、金属材料により矩形枠状に形成された本体部６０を有し、本体部６０の中央には矩形の開口部６０１が設けられている。また、本体部６０の四隅には、調整板６を調整板５に取り付けるための取付ねじ１５が挿通される挿通孔６０２と、フロアプレート７を調整板６に取り付けるための取付ねじ１６がねじ込まれるねじ孔６０３とがそれぞれ設けられている。また、調整板６において扉７１の軸受け７１３，７１３と対向する位置には、軸受け７１３，７１３が当たらないようにするための凹部６０４，６０５が設けられている。
【００２８】
これらの凹部６０４，６０５は、調整板６の一部を下向き（プレート枠７０と反対向き）に凹ませることで形成されており、軸受け７１３，７１３を収容できる深さ寸法に設定されている（図１（ａ）参照）。ここに、本実施形態では、凹部６０４，６０５により逃がし部が構成されている。なお、図１（ａ）及び図１（ｂ）は、前側の軸部１０を開口部７０１側から見たときの断面図である。
【００２９】
調整板５は、調整板６と同様に、金属材料により矩形枠状に形成された本体部５０を有し、本体部５０の中央には矩形の開口部５０１が設けられている。また、本体部５０の四隅には、調整ねじ１４が挿通される挿通孔５０２と、取付ねじ１５がねじ込まれるねじ孔５０３とがそれぞれ設けられている。また、調整板５において調整板６の凹部６０４，６０５と対向する位置には、調整板５の一部を下向き（調整板６と反対向き）に凹ませることで形成された凹部５０４，５０５がそれぞれ設けられている。
【００３０】
ここに、本実施形態では、プレート枠７０と、扉７１と、調整板５，６とで床配線装置１用のプレート部材が構成されている。
【００３１】
次に、床配線装置１の設置手順について説明する。なお以下では、埋込カバー３が取り付けられたボックス２がコンクリート製の床１００の所定位置に予め埋め込まれ、さらに電源コンセント４０が取付金具４１に予め取り付けられているものとして説明を行う。
【００３２】
まず最初に、作業者は、電線管１１０を通してボックス２内に引きこまれた電源線（図示せず）を電源コンセント４０の速結端子（図示せず）に接続し、さらに電線管１１０を通してボックス２内に引き込まれた接地線１８をボックス２の底面にねじ固定する。
【００３３】
その後、作業者は、埋込カバー３の開口部３０１を通してコンセントブロック４をボックス２内に収納し、取付ねじ１３を用いてコンセントブロック４を埋込カバー３に取り付ける。このとき、コンセントブロック４は、取付金具４１の本体部４１１の長手方向と、埋込カバー３の開口部３０１の長手方向とが同じ方向（左右方向）となるように配置される。
【００３４】
さらに、作業者は、調整板５の挿通孔５０２に挿通させた調整ねじ１４を埋込カバー３のねじ孔３０５にねじ込む。このとき、作業者は、床１００の上面に敷設される表面材１２０（例えばタイルカーペット）の厚みに応じて調整ねじ１４の高さを調整する。
【００３５】
その後、作業者は、取付ねじ１５を用いて調整板６を調整板５に取り付ける。調整板６を調整板５に取り付けると、調整ねじ１４の頭部が調整板５と調整板６の間に挟まれ、上側の調整板６が、調整ねじ１４のねじ込み量によって決まる高さ位置に保持される。
【００３６】
そして最後に、作業者は、取付ねじ１６を用いてフロアプレート７を調整板６に取り付ける。このとき、扉７１を支持する軸部１０の軸方向と埋込カバー３の開口部３０１の幅方向とが同じ方向（前後方向）で、且つ通線チップ７２が電線管１１０側（前側）となる向きで、フロアプレート７が調整板６に取り付けられる。以上の手順により、床配線装置１の設置が完了する（図３参照）。
【００３７】
続けて、電源コンセント４０にプラグ９０を接続する手順について図５を参照しながら説明する。まず最初に、使用者は、開閉ボタン７３を開方向（図３（ａ）中の右方向）にスライドさせてフロアプレート７の扉７１を開き、ボックス２内に収納された電源コンセント４０にプラグ９０を差し込む（図５（ａ）参照）。
【００３８】
そして、使用者は、扉７１を開いたままで通線チップ７２を開方向へ移動させた後（図５（ｂ）参照）、通線チップ７２を開いたままで扉７１を閉じる（図５（ｃ）参照）。このとき、コード９はブッシュ７４によって保護される。
【００３９】
また、電源コンセント４０からプラグ９０を取り外す手順について説明する。まず最初に、使用者は、開閉ボタン７３を開方向にスライドさせてフロアプレート７の扉７１を開き、電源コンセント４０からプラグ９０を取り外す。そして、使用者は、扉７１を開いたままで通線チップ７２を閉方向へ移動させた後、扉７１を閉じる。
【００４０】
このように、床配線装置１を使用しない状態では、通線チップ７２を閉じておくことで、通線チップ７２が邪魔にならない。また、床配線装置１を床１００に設置した状態では、プレート枠７０は開口部１００ａの端縁部分のみで床１００に接触しており、この状態のままプレート枠７０に荷重がかかるとプレート枠７０が変形する虞がある。そのため、本実施形態では、下側からプレート枠７０を支える機能を調整板５，６に持たせており、これらの調整板５，６によりプレート枠７０の変形を抑えることができる。
【００４１】
本実施形態の床配線装置１では、プレート枠７０の下面側で且つ床１００の開口部１００ａに収まる位置に扉７１を回転可能に支持する軸部１０（軸８及び軸受け７１３）を設けている。また、調整板６における軸受け７１３と対向する位置には、軸受け７１３が入る凹部６０４，６０５を設けている（図１（ａ）及び図１（ｂ）参照）。これらの構成により、床配線装置１を床１００に設置した状態において床面から突出するフロアプレート７の突出量を小さくすることができる。
【００４２】
なお、本実施形態では、ボックス２内に収納されるコンセントとして電源コンセント４０を例に説明したが、例えばモジュラーコンセントやＬＡＮコンセントなどであってもよく、本実施形態に限定されない。また、本実施形態では、調整板６に設けた凹部６０４，６０５により逃がし部を構成したが、例えば軸受け７１３が入り込める大きさの溝や孔により逃がし部を構成してもよく、本実施形態に限定されない。
【００４３】
本実施形態の床配線装置用のプレート部材は、プレート枠７０と、扉７１と、調整板５，６とを備える。プレート枠７０は、厚み方向に貫通する開口部７０１（貫通孔）を有し、床１００に設けられた開口部１００ａと開口部７０１とがつながり、且つ開口部１００ａの端縁部分に下面が接触した状態で、床１００に埋め込まれたボックス２に固定される。扉７１は、プレート枠７０に取り付けられ、且つ開口部７０１を閉塞する位置と開口部７０１を開放する位置との間で開閉される。調整板５，６は、ボックス２に対するプレート枠７０の高さ位置を調整する。扉７１を回転可能に支持する軸部１０，１０がプレート枠７０の下面側で且つ開口部１００ａに収まる位置に設けられている。調整板６は、設置状態において上面がプレート枠７０の下面に接触しており、軸部１０，１０と対向する位置に軸部１０が入る凹部６０４，６０５（逃がし部）が設けられている。
【００４４】
本実施形態の床配線装置１は、上記床配線装置用のプレート部材と、ボックス２と、コンセントブロック４とを備える。コンセントブロック４は、プラグ９０が着脱自在に差し込まれる電源コンセント４０（コンセント）を有し、ボックス２内に収納され且つボックス２に固定される。
【符号の説明】
【００４５】
６  調整板
１０  軸部
７０  プレート枠
７１  扉
６０４，６０５  凹部（逃がし部）
７０１  開口部（貫通孔）
【図１】
2015154547.tif 000003
【図２】
2015154547.tif 000004
【図３】
2015154547.tif 000005
【図４】
2015154547.tif 000006
【図５】
2015154547.tif 000007